(57)【要約】【課題】新規の監視エリアの監視を迅速に開始でき、ユーザが監視エリアに常駐しなくても所望のタイミングで撮影された映像を監視できるようにする。【解決手段】携帯端末１は、カメラ１１、および無線通信により公衆網３に接続される通信部１２を具備している。監視装置２は、カメラ１１で撮影され携帯端末から公衆網３経由で配信される監視エリアの映像を取得する。映像監視システム１０は、カメラ１１で撮影された映像を公衆網３経由で監視装置２へ配信することで、監視装置２にて映像を監視可能とする。携帯端末１は、監視タイミングを指定する指定部１３１と、撮影制御部１３２と、配信部１３３とを有している。撮影制御部１３２は、監視タイミングでカメラ１１を起動しカメラ１１に監視エリアを撮影させ、配信部１３３は、カメラ１１にて撮影された映像を監視タイミングで監視装置２へ配信するように構成されている。【選択図】図１
2015046842.tif 000002
【特許請求の範囲】
【請求項１】
カメラ、および無線通信により公衆網に接続される通信部を具備する携帯端末と、
前記カメラで撮影され前記携帯端末から前記公衆網経由で配信される監視エリアの映像を取得する監視装置とを備え、
前記携帯端末は、監視タイミングを指定する指定部と、前記監視タイミングで前記カメラを起動し前記カメラに前記監視エリアを撮影させる撮影制御部と、前記カメラにて撮影された前記映像を前記監視装置へ配信する配信部とを有する
ことを特徴とする映像監視システム。
【請求項２】
前記指定部は、予め決められたタイミングを前記監視タイミングとするように構成されている
ことを特徴とする請求項１に記載の映像監視システム。
【請求項３】
前記指定部は、前記監視装置から前記公衆網経由で受信した起動信号によって決定されるタイミングを前記監視タイミングとするように構成されている
ことを特徴とする請求項１または２に記載の映像監視システム。
【請求項４】
前記携帯端末は、前記通信部の前記公衆網への接続の可否を判断する判断部と、前記映像を一時的に記憶する記憶部とを有し、
前記配信部は、
前記監視タイミングにおいて前記判断部で前記公衆網への接続が不可と判断されると、前記映像を前記記憶部に一旦記憶し、前記公衆網への接続が可能になり次第、前記記憶部に記憶されている前記映像を前記監視装置へ配信し、
前記監視タイミングにおいて前記判断部で前記公衆網への接続が可能と判断されると、すぐに前記映像を前記監視装置へ配信するように構成されている
ことを特徴とする請求項１〜３のいずれか１項に記載の映像監視システム。
【請求項５】
前記携帯端末は、前記映像の撮影位置を表す位置情報を生成する生成部を有し、
前記配信部は、前記映像を配信する際、当該映像の撮影位置を表す前記位置情報を当該映像と一緒に配信するように構成されている
ことを特徴とする請求項１〜４のいずれか１項に記載の映像監視システム。
【請求項６】
前記携帯端末に付設される周辺機器をさらに備え、
前記携帯端末は、前記監視装置から前記公衆網経由で制御信号を受信し当該制御信号に従って前記周辺機器を制御する機器制御部を有する
ことを特徴とする請求項１〜５のいずれか１項に記載の映像監視システム。
【請求項７】
前記携帯端末は、表示部と、前記監視装置から前記公衆網経由で操作信号を受信し当該操作信号に従って前記カメラの移動方向を指示する操作情報を前記表示部に表示させる表示制御部とを有する
ことを特徴とする請求項１〜６のいずれか１項に記載の映像監視システム。
【請求項８】
カメラと、無線通信により公衆網に接続される通信部と、監視タイミングを指定する指定部と、前記監視タイミングで前記カメラを起動し前記カメラに監視エリアを撮影させる撮影制御部と、前記カメラにて撮影された前記監視エリアの映像を前記公衆網経由で監視装置へ配信する配信部とを有する
ことを特徴とする携帯端末。
【請求項９】
カメラ、および無線通信により公衆網に接続される通信部を具備する携帯型のコンピュータを、
監視タイミングを指定する指定部と、前記監視タイミングで前記カメラを起動し前記カメラに監視エリアを撮影させる撮影制御部と、前記カメラにて撮影された前記監視エリアの映像を前記公衆網経由で監視装置へ配信する配信部とを有する
携帯端末として機能させるプログラム。
【発明の詳細な説明】
【技術分野】
【０００１】
本発明は、カメラで撮影された映像を公衆網経由で監視装置へ配信することで、監視装置にて映像を監視可能とした映像監視システムおよびそれに用いる携帯端末、プログラムに関する。
【背景技術】
【０００２】
従来から、この種の映像監視システムとして、道路、河川等の公共建造物を監視の対象とするシステムが知られている（たとえば特許文献１参照）。
【０００３】
特許文献１に記載の（遠隔）映像監視システムは、カメラで撮影した映像をエンコーダで符号化して出力する監視カメラ装置と、符号化された映像を復号して表示装置に再生する監視装置（監視所設備）とが、ＩＰネットワークで通信可能に接続されている。この映像監視システムを用いれば、監視員は、監視所（監視センタ）において、災害等により異常が発生したときに、映像を見て状況を観察し、必要に応じて現地確認を行い、復旧作業や交通規制、避難等の対応を行うことができる。
【０００４】
さらに、特許文献１に記載の映像監視システムにおいて、監視カメラ装置は、雲台カメラ、雲台カメラ制御器、エンコーダ、伝送装置から構成されている。雲台カメラは、電動雲台と一体化された監視用ビデオカメラであり、雲台カメラ制御器からの雲台制御信号により、雲台のパンチルトやズームを駆動して、撮像範囲を所望の向きおよび倍率にする。エンコーダは、雲台カメラが撮影した映像をＩＰパケット化して出力し、伝送装置は、雲台カメラ制御器およびエンコーダをＩＰネットワークに接続しＩＰ通信を行えるようにする装置である。
【０００５】
また、特許文献２には、街中に設置された防犯用の監視カメラ装置（ＩＰカメラ）を利用して、監視カメラ装置で撮影された映像が有線ネットワーク回線を介して映像録画サーバへ配信されるように構成されたシステムが記載されている。特許文献２に記載のシステムでは、ユーザの持つ携帯型端末は、監視カメラ装置の監視エリア（撮影対象領域）内で監視カメラ装置と無線通信することにより、ユーザが帰宅後に自宅のパソコンにて映像録画サーバから映像を取得する際のアクセス権を登録する。
【０００６】
また、特許文献３には、携帯電話網に複数の端末（携帯電話機）が接続され、発信側端末のカメラで撮影した映像（映像コンテンツ）を、中継配信制御サーバを介して視聴側端末へ配信するように構成されたシステムが記載されている。このシステムによれば、ユーザは、別の地域に位置する他のユーザが発信側端末で撮影した映像を、視聴側端末を用いて視聴することができる。
【先行技術文献】
【特許文献】
【０００７】
【特許文献１】特開２０１１−７１９２０号公報
【特許文献２】特開２０１３−９２５６号公報
【特許文献３】特開２０１２−４６２９号公報
【発明の概要】
【発明が解決しようとする課題】
【０００８】
しかし、特許文献１および２に記載のシステムにおいては、監視を開始するに当たり、事前に、監視エリアに監視カメラ装置を設置し、且つ監視カメラ装置をＩＰネットワーク（特許文献２では有線ネットワーク回線）に接続する作業が必要になる。そのため、特許文献１および２に記載のシステムでは、たとえば災害時に被災地を新規の監視エリアとするような場合、監視カメラ装置の設置作業や接続作業に手間が掛かり、新規の監視エリアの監視の開始が遅れる可能性がある。
【０００９】
一方、特許文献３に記載のシステムでは、発信側端末を所持するユーザが発信側端末のカメラで撮影した映像が視聴側端末に配信されるので、視聴側端末にて映像を視聴するためには、発信側端末を所持するユーザが発信側端末を操作して撮影する必要がある。そのため、このシステムを監視目的で用いる場合、所望のタイミングで撮影された映像を監視できるように、発信側端末を所持するユーザが監視エリア（たとえば被災地）に常駐する必要がある。
【００１０】
本発明は上記事由に鑑みて為されており、新規の監視エリアの監視を迅速に開始でき、ユーザが監視エリアに常駐しなくても所望のタイミングで撮影された映像を監視できる映像監視システムおよびそれに用いる携帯端末、プログラムを提供することを目的とする。
【課題を解決するための手段】
【００１１】
上記課題を解決するため、本発明に係る第１の形態の映像監視システムは、カメラ、および無線通信により公衆網に接続される通信部を具備する携帯端末と、前記カメラで撮影され前記携帯端末から前記公衆網経由で配信される監視エリアの映像を取得する監視装置とを備え、前記携帯端末は、監視タイミングを指定する指定部と、前記監視タイミングで前記カメラを起動し前記カメラに前記監視エリアを撮影させる撮影制御部と、前記カメラにて撮影された前記映像を前記監視装置へ配信する配信部とを有することを特徴とする。
【００１２】
本発明に係る第２の形態の映像監視システムは、第１の形態において、前記指定部は、予め決められたタイミングを前記監視タイミングとするように構成されていることを特徴とする。
【００１３】
本発明に係る第３の形態の映像監視システムは、第１または２の形態において、前記指定部は、前記監視装置から前記公衆網経由で受信した起動信号によって決定されるタイミングを前記監視タイミングとするように構成されていることを特徴とする。
【００１４】
本発明に係る第４の形態の映像監視システムは、第１〜３のいずれかの形態において、前記携帯端末は、前記通信部の前記公衆網への接続の可否を判断する判断部と、前記映像を一時的に記憶する記憶部とを有し、前記配信部は、前記監視タイミングにおいて前記判断部で前記公衆網への接続が不可と判断されると、前記映像を前記記憶部に一旦記憶し、前記公衆網への接続が可能になり次第、前記記憶部に記憶されている前記映像を前記監視装置へ配信し、前記監視タイミングにおいて前記判断部で前記公衆網への接続が可能と判断されると、すぐに前記映像を前記監視装置へ配信するように構成されていることを特徴とする。
【００１５】
本発明に係る第５の形態の映像監視システムは、第１〜４のいずれかの形態において、前記携帯端末は、前記映像の撮影位置を表す位置情報を生成する生成部を有し、前記配信部は、前記映像を配信する際、当該映像の撮影位置を表す前記位置情報を当該映像と一緒に配信するように構成されていることを特徴とする。
【００１６】
本発明に係る第６の形態の映像監視システムは、第１〜５のいずれかの形態において、前記携帯端末に付設される周辺機器をさらに備え、前記携帯端末は、前記監視装置から前記公衆網経由で制御信号を受信し当該制御信号に従って前記周辺機器を制御する機器制御部を有することを特徴とする。
【００１７】
本発明に係る第７の形態の映像監視システムは、第１〜６のいずれかの形態において、前記携帯端末は、表示部と、前記監視装置から前記公衆網経由で操作信号を受信し当該操作信号に従って前記カメラの移動方向を指示する操作情報を前記表示部に表示させる表示制御部とを有することを特徴とする。
【００１８】
本発明に係る携帯端末は、カメラと、無線通信により公衆網に接続される通信部と、監視タイミングを指定する指定部と、前記監視タイミングで前記カメラを起動し前記カメラに監視エリアを撮影させる撮影制御部と、前記カメラにて撮影された前記監視エリアの映像を前記公衆網経由で前記監視装置へ配信する配信部とを有することを特徴とする。
【００１９】
本発明に係るプログラムは、カメラ、および無線通信により公衆網に接続される通信部を具備する携帯型のコンピュータを、監視タイミングを指定する指定部と、前記監視タイミングで前記カメラを起動し前記カメラに監視エリアを撮影させる撮影制御部と、前記カメラにて撮影された前記監視エリアの映像を前記公衆網経由で前記監視装置へ配信する配信部とを有する携帯端末として機能させる。
【発明の効果】
【００２０】
第１の形態によれば、無線通信により公衆網に接続される通信部を具備した携帯端末のカメラで映像を撮影するので、携帯端末が公衆網につながる状態にあれば、すぐにでも監視エリアの映像を配信可能となる。また、携帯端末は、監視タイミングを指定する指定部と、撮影制御部と、配信部とを有し、監視タイミングでカメラを起動しカメラに監視エリアを撮影させ映像を監視装置へ配信する。そのため、この映像監視システムは、携帯端末を所持するユーザが携帯端末を操作しなくても、指定部によって指定される監視タイミングになれば、自動的に映像の撮影、配信が開始することになる。したがって、新規の監視エリアの監視を迅速に開始でき、ユーザが監視エリアに常駐しなくても所望のタイミングで撮影された映像を監視できる、という利点がある。
【００２１】
第２の形態によれば、携帯端末は、予め決められたタイミングで自発的に映像の配信を開始するので、公衆網のゲートウェイに阻まれずに映像を監視装置配信することができる。
【００２２】
第３の形態によれば、携帯端末は、監視装置からの起動信号に従って変動的に決定されるタイミングで映像の配信を開始するので、監視エリアに設置された状態で周囲に人がいなくても、監視員が所望するタイミングで映像の配信を開始できる。
【００２３】
第４の形態によれば、携帯端末と公衆網との間の通信環境が不安定な場合でも、携帯端末は、自動的に映像を配信することができ、映像の欠落を生じにくい、という利点がある。
【００２４】
第５の形態によれば、監視装置において、映像を確認する際、この映像の撮影位置を特定することができる。
【００２５】
第６の形態によれば、監視エリアに配置された周辺機器を携帯端末を通して遠隔地から制御することできる。
【００２６】
第７の形態によれば、監視員は、携帯端末を所持するユーザに対して遠隔地からカメラの移動方向を指示することが可能になる。
【図面の簡単な説明】
【００２７】
【図１】実施形態１に係る映像監視システムの概略ブロック図である。
【図２】実施形態１に係る映像監視システムの概略ブロック図である。
【図３】実施形態１に係る携帯端末の表示例を示す説明図である。
【図４】実施形態１に係る映像監視システムの動作の説明図である。
【図５】実施形態２に係る映像監視システムの動作の説明図である。
【発明を実施するための形態】
【００２８】
（実施形態１）
本実施形態に係る映像監視システム１０は、図１に示すように、携帯端末１と監視装置２とを備えている。
【００２９】
携帯端末１は、カメラ１１、および無線通信により公衆網３に接続される通信部１２を具備している。監視装置２は、カメラ１１で撮影され携帯端末から公衆網３経由で配信される監視エリアの映像を取得するように構成されている。この映像監視システム１０は、カメラ１１で撮影された映像を公衆網３経由で監視装置２へ配信することで、監視装置２にて映像を監視可能とする。
【００３０】
携帯端末１は、カメラ１１および通信部１２の他、監視タイミングを指定する指定部１３１と、撮影制御部１３２と、配信部１３３とを有している。撮影制御部１３２は、監視タイミングでカメラ１１を起動しカメラ１１に監視エリアを撮影させるように構成されている。配信部１３３は、カメラ１１にて撮影された映像を監視装置２へ配信するように構成されている。
【００３１】
また、携帯端末１は、通信部１２の公衆網３への接続の可否を判断する判断部１３４と、映像を一時的に記憶する記憶部１４とをさらに有することが望ましい。この場合、配信部１３３は、監視タイミングにおいて判断部１３４で公衆網３への接続が不可と判断されると、映像を記憶部１４に一旦記憶し、公衆網３への接続が可能になり次第、記憶部１４に記憶されている映像を監視装置２へ配信するように構成される。さらに、配信部１３３は、監視タイミングにおいて判断部１３４で公衆網３への接続が可能と判断されると、すぐに映像を監視装置２へ配信するように構成される。
【００３２】
また、本実施形態では、携帯端末１は、表示部１５、入力部１６、生成部１７、並びに機器制御部１３５、表示制御部１３６をさらに有している。これら各部の構成および機能については後述する。
【００３３】
以下、本実施形態の映像監視システム１０について詳しく説明する。ただし、以下に説明する映像監視システム１０は、本発明の一例に過ぎず、本発明は、下記実施形態に限定されることはなく、この実施形態以外であっても、本発明に係る技術的思想を逸脱しない範囲であれば、設計等に応じて種々の変更が可能である。
【００３４】
以下の実施形態では、映像監視システム１０が、災害や事故、事件等の発生時に、発生現場（被災地等）を監視エリアとして、遠隔地から監視エリアの映像を監視するために用いられる場合を例として説明する。これにより、監視員（ユーザ）は、たとえば災害時において、被災地の遠方にいながらにして、被災地の道路、河川等の状況を、その映像から観察することができ、必要に応じて現地確認を行い、復旧作業や交通規制、避難等の対応を行うことができる。
【００３５】
本実施形態に係る映像監視システム１０は、図１に示すように、携帯端末１、監視装置２に加えて、監視装置２で取得された映像を表示する表示端末４を備えている。表示端末４は、たとえば構内通信網（ＬＡＮ：local area network）からなるネットワーク５を介して監視装置２と通信可能に構成されている。したがって、監視員は、監視装置２から表示端末４へ送信され表示端末４に表示される映像を閲覧することにより、監視エリアの映像を監視することができる。
【００３６】
携帯端末１は、各種の表示を行う表示機能およびユーザの操作入力を受け付ける入力機能といったユーザインタフェースを有する携帯型の情報端末である。この種の情報端末としては、スマートフォン、携帯電話機、タブレット端末、ノートパソコン（ノート型パーソナルコンピュータ）等がある。これらの携帯型の情報端末は、可搬型の筐体に、カメラ１１、および無線通信により公衆網３に接続される通信部１２を具備し、さらに、駆動用の電源としてたとえば充電式のバッテリを具備している。
【００３７】
表示端末４も携帯端末１と同様に、スマートフォン、タブレット端末、携帯電話機、ノートパソコン等の携帯型の情報端末からなる。本実施形態では、携帯端末１および表示端末４はいずれもスマートフォンである場合を想定する。
【００３８】
携帯端末１は、カメラ１１および通信部１２に加えて、ＣＰＵ（Central Processing Unit）からなる処理装置１３および記憶部（メモリ）１４を有する携帯型のコンピュータである。このコンピュータは、記憶部１４に格納されているプログラムを処理装置１３で実行することにより、処理装置１３が、指定部１３１、撮影制御部１３２、配信部１３３、判断部１３４、機器制御部１３５、表示制御部１３６として機能する。言い換えれば、ここでいうプログラムは、カメラ１１および通信部１２を具備する携帯型のコンピュータを、指定部１３１と、撮影制御部１３２と、配信部１３３とを有する携帯端末１として機能させるプログラムである。
【００３９】
つまり、携帯端末１として用いられるスマートフォンは、専用のアプリケーション（アプリケーションソフト）をインストールし、このアプリケーションを起動することにより、携帯端末１としての機能を実現する。携帯端末１として用いられるスマートフォン（コンピュータ）は、上記プログラムを予め記憶部１４に格納していてもよいし、インターネットなどの電気通信回線を通じて、あるいは当該プログラムが記憶された記憶媒体からプログラムの提供を受けてもよい。
【００４０】
また、表示端末４として用いられるスマートフォンは、別のアプリケーションをインストールし、このアプリケーションを起動することにより表示端末４としての機能を実現する。表示端末４として用いられるスマートフォン（コンピュータ）は、プログラムを予めメモリに格納していてもよいし、インターネットなどの電気通信回線を通じて、あるいは当該プログラムが記憶された記憶媒体からプログラムの提供を受けてもよい。このように、携帯端末１と表示端末４とは、アプリケーションによって区別されるので、携帯端末１として用いられるスマートフォンと表示端末４として用いられるスマートフォンとの基本的な構成は共通でよい。
【００４１】
携帯端末１のカメラ１１は、ＣＣＤ（Charge Coupled Devices）やＣＭＯＳ（Complementary Metal-Oxide Semiconductor）のようなイメージセンサ（撮像素子）を有し、撮影した映像を電気信号に変換して出力する。カメラ１１で撮影される映像は、ここでは動画とするが、動画に限らず静止画であってもよい。カメラ１１は、撮影した映像を、たとえばＪＰＥＧ形式や、Ｈ．２６４あるいはＨ．２６５などの画像圧縮方式で圧縮し、映像データとして、処理装置１３へ出力するように構成されている。
【００４２】
ここで、ＪＰＥＧ形式のように静止画をベースとした画像圧縮方式で圧縮された映像は、低ビットレートの場合でも、フレーム毎の画像が高画質であって対象物（人物等）の識別が可能である。一方、Ｈ．２６４やＨ．２６５などを一例とする動画圧縮方式で圧縮された映像は、各フレームの画像の画質はＪＰＥＧ形式に比べて劣るものの、低ビットレートの場合でも、滑らかな動きを再現可能である。携帯端末１が採用する画像圧縮方式は複数種類の方式の中から選択可能であり、本実施形態では、携帯端末１は容易に応じて画像圧縮方式を選択可能に構成されている。なお、カメラ１１は、携帯端末１に内蔵されていることが望ましいが、これに限らず、たとえば携帯端末１がノートパソコンの場合に外付けのＷｅｂカメラなどでもよい。
【００４３】
通信部１２は、無線通信により公衆網３に接続され、公衆網３を介した携帯端末１−監視装置２間の通信を可能とする。ここでいう公衆網３は、図２に示すように、通信事業者が提供する３Ｇ（第３世代）回線、ＬＴＥ（Long Term Evolution）回線等の携帯電話網（キャリア網）３１と、インターネット３３とを含んでいる。携帯電話網３１とインターネット３３とはゲートウェイ３２を介して接続されている。携帯端末１の通信部１２は、公衆網３のうち携帯電話網３１に無線通信によって接続される。通信部１２は、携帯端末１に内蔵されていることが望ましいが、これに限らず、たとえば携帯端末１がノートパソコンの場合に外付けの通信デバイスでもよい。
【００４４】
公衆網３においては、各機器（携帯端末１、監視装置２等）は、ＩＰアドレスなどの識別子によって識別されることになる。本実施形態では、少なくとも監視装置２に固有の識別子（ＩＰアドレス）が固定的に設定されており、携帯端末１は、この監視装置２の識別子を予め記憶部１４に記憶している。そのため、通信部１２は、識別子によって監視装置２を識別し、特定の監視装置２との通信が可能になる。
【００４５】
記憶部１４は、詳しくは後述するが、カメラ１１で撮影された映像を一時的に記憶する機能を有している。
【００４６】
また、スマートフォンからなる携帯端末１は、各種の表示を行う表示機能を持った表示部１５と、ユーザの操作入力を受け付ける入力機能を持った入力部１６とをさらに有している。ここでは、携帯端末１は、ユーザインタフェースとしてタッチパネルディスプレイを搭載しており、このタッチパネルディスプレイが表示部１５および入力部１６として機能する。ただし、入力部１６は、タッチパネルディスプレイに限らず、たとえばキーボードやポインティングデバイス、メカニカルなスイッチなどであってもよい。
【００４７】
さらにまた、本実施形態における携帯端末１は、現在位置を表す位置情報を生成する生成部１７を有している。ここでは、生成部１７は、ＧＰＳ（Global Positioning System）により、現在の携帯端末１の位置を表す位置情報を生成するように構成されている。
【００４８】
このように構成される携帯端末１は、監視エリアをカメラ１１で撮影し、撮影された映像を公衆網３経由で監視装置２へ配信することで、監視装置２にて映像を監視可能とする。そのため、携帯端末１は、監視エリア（ここでは被災地等）において、ホルダ等の保持具（図示せず）によって保持されることにより、監視エリアを撮影できる向きにカメラ１１を向けた状態で配置される。ただし、携帯端末１は、監視エリアを撮影可能な向きで配置されてさえいれば、保持具を用いて定位置に固定されている必要はなく、たとえば壁などに立て掛けられていてもよいし、あるいは人が手に持っていてもよい。
【００４９】
次に、処理装置１３の各部の構成について説明する。
【００５０】
処理装置１３は、上述したように指定部１３１、撮影制御部１３２、配信部１３３、判断部１３４、機器制御部１３５、表示制御部１３６としての機能を有している。
【００５１】
指定部１３１は、監視タイミングを指定する。ここでいう監視タイミングは、監視エリアを撮影し、且つ、撮影された映像を監視装置２へ配信するタイミングである。
【００５２】
本実施形態においては、指定部１３１は、予め決められたタイミングを監視タイミングとするように構成されている。すなわち、指定部１３１は、予め固定的に決められているタイミングを監視タイミングとして利用する。
【００５３】
具体的に説明すると、指定部１３１は、たとえば毎時零分や毎時３０分というように予め決められた設定時刻（定刻）を監視タイミングとしたり、所定時間（たとえば１分、３分、１０分等）ごとに周期的に監視タイミングを設定したりすることが可能である。携帯端末１は、この場合の設定時刻や周期（上記の所定時間）を、入力部１６に対するユーザの操作により任意に変更可能に構成されることが望ましい。
【００５４】
撮影制御部１３２は、指定部１３１によって指定された監視タイミングで、カメラ１１を起動してカメラ１１に監視エリアを撮影させる。これにより、カメラ１１は、指定部１３１によって指定された監視タイミングになると、自発的に監視エリアの撮影（動画撮影）を開始することになる。
【００５５】
撮影制御部１３２は、監視タイミングにおいて、撮影を開始する前にユーザの確認を取るように構成されていてもよい。この場合、撮影制御部１３２は、監視タイミングになると、たとえば撮影を開始する旨を表示部１５に表示し、この表示に対して、携帯端末１を所持するユーザによる承認の操作が為されるまでは撮影を開始せず、承認の操作が為されて初めて撮影を開始する。
【００５６】
配信部１３３は、カメラ１１での撮影が開始すると、撮影された監視エリアの映像について通信部１２から公衆網３経由で監視装置２への配信を開始する。ここでは、配信部１３３は、原則、カメラ１１で撮影された映像のデータを、リアルタイムで監視装置２へ配信するリアルタイムストリーミング（ライブストリーミング）技術によって、映像の配信を行うように構成されている。言い換えれば、配信部１３３は、指定部１３１によって指定された監視タイミングで、映像を監視装置２へ配信するように構成されている。
【００５７】
ここにおいて、携帯端末１は、撮影制御部１３２によりカメラ１１が起動され、カメラ１１で監視エリアの撮影を開始すると、カメラ１１で撮影された映像をリアルタイムで表示部１５に表示させるように構成されている。つまり、携帯端末１は、配信部１３３から監視装置２へ配信している映像をリアルタイムで表示部１５に表示する。そのため、携帯端末１を所持するユーザは、携帯端末１の表示部１５を見ることで、監視装置２へ配信されている映像を確認することが可能である。
【００５８】
判断部１３４は、通信部１２の公衆網３への接続の可否を判断し、その判断結果を配信部１３３へ出力する機能を有している。さらに本実施形態では、判断部１３４は、通信部１２の公衆網３への接続が可能な場合において、通信部１２−公衆網３間の通信速度（帯域幅）を測定し、その測定結果を配信部１３３へ出力する機能を有している。
【００５９】
配信部１３３は、指定部１３１によって指定された監視タイミングにおいて、判断部１３４から判断結果を受け取り、配信を開始する前に、映像の配信方式を決定する。配信部１３３は、このとき（監視タイミングにおいて）、公衆網３への接続が可能と判断されていれば、すぐに映像を監視装置２へ配信し、公衆網３への接続が不可と判断されていれば、映像をすぐには配信せず記憶部１４へ一旦記憶する。監視タイミングで公衆網３への接続が不可と判断された場合において、配信部１３３は、公衆網３への接続が可能になり次第、記憶部１４に記憶されている映像を監視装置２へ配信する。
【００６０】
要するに、携帯端末１は、携帯電話網３１の基地局の電波を正常に受信できる「圏内」にある状態では、原則通り、カメラ１１で撮影された映像をリアルタイムで監視装置２へ配信する。一方で、携帯端末１は、携帯電話網３１の基地局の電波を正常に受信できない「圏外」にある状態では、例外的に、カメラ１１で撮影された映像を記憶部１４にてバッファリングし、「圏内」になるのを待ってから監視装置２へ配信する。なお、本実施形態では、携帯端末１は、映像を一時的に記憶するための記憶部１４としてキャッシュメモリを使用している。
【００６１】
さらに、配信部１３３は、指定部１３１によって指定された監視タイミングにおいて、通信速度の測定結果を判断部１３４から受け取り、配信を開始する前に、配信する映像（データ）のビットレートを調整する。配信部１３３は、このとき（監視タイミングにおいて）、判断部１３４で測定された通信速度（帯域幅）に応じて、映像のビットレートを決定する。
【００６２】
また、本実施形態においては、配信部１３３は、映像を配信する際、この映像の撮影位置を表す位置情報を当該映像と一緒に配信するように構成されている。そのために、携帯端末１の生成部１７は、撮影制御部１３２がカメラ１１を起動してカメラ１１に監視エリアを撮影させる監視タイミングにおいて、現在の携帯端末１の位置を表す位置情報を生成する。つまり、生成部１７は、映像の撮影位置を表す位置情報を生成するのであって、配信部１３３は、この位置情報を映像と併せて配信する。なお、配信部１３３は、映像を記憶部１４へ一旦記憶する場合には、この映像の撮影位置を表す位置情報を当該映像と対応付けて記憶部１４へ記憶し、配信時に映像および位置情報を配信する。
【００６３】
機器制御部１３５は、監視装置２から公衆網３経由で制御信号を受信し、この制御信号に従って周辺機器６（図１参照）を制御するように構成されている。すなわち、本実施形態に係る映像監視システム１０は、携帯端末１に付設される周辺機器６をさらに備えており、携帯端末１は、この周辺機器６を制御する機能を有している。周辺機器６は、たとえば夜間に監視エリアを照明するための照明器具や、音声を出力するためのスピーカなどである。
【００６４】
ここで、携帯端末１と周辺機器６とは、有線接続あるいは近距離無線通信により通信可能に構成されている。そのため、携帯端末１は、通信によって機器制御部１３５で周辺機器６を制御し、たとえば周辺機器６としての照明器具の点灯／消灯の切り替えや、周辺機器６としてのスピーカでの音声放送などが可能である。また、携帯端末１は、周辺機器６の動作状態を機器制御部１３５で取得することも可能である。なお、携帯端末１−周辺機器６間の通信としては、たとえばＵＳＢ（Universal Serial Bus）通信、ＲＳ−４８５等のシリアル通信、Ｂｌｕｅｔｏｏｔｈ（登録商標）、Ｗｉ−Ｆｉ（登録商標）などが適用される。
【００６５】
表示制御部１３６は、監視装置２から公衆網３経由で操作信号を受信し、この操作信号に従ってカメラ１１の移動方向を指示する操作情報１５１（図３参照）を表示部１５に表示させるように構成されている。表示制御部１３６は、操作情報１５１を一定時間（たとえば３秒）だけ表示させる。
【００６６】
本実施形態では、携帯端末１は、上述したように撮影制御部１３２によりカメラ１１が起動されて監視エリアの撮影を開始すると、カメラ１１で撮影された映像を表示部１５に表示する機能を有している。そこで、表示制御部１３６は、図３に示すように、表示部１５の画面上に映像と重ねて操作情報１５１が表示されるように、スーパーインポーズの技術を用いて操作情報１５１の表示を行う。
【００６７】
図３の例では、携帯端末１は、表示部１５に監視エリアである河川の映像を表示しており、表示制御部１３６は、カメラ１１を左方向へパンさせることを指示する左向き矢印を、操作情報１５１として映像と重なるように表示している。携帯端末１を所持するユーザは、この操作情報（左向き矢印）１５１を見た場合、携帯端末１ごとカメラ１１を左方向へ向ければ（パンすれば）よい。表示制御部１３６は、カメラ１１を右方向へパンさせたい場合には右向き矢印を、カメラ１１を上方向へチルトさせたい場合には上向き矢印を、カメラ１１を下方向へチルトさせたい場合には下向き矢印を、それぞれ操作情報１５１として表示させる。
【００６８】
操作情報１５１は、カメラ１１の移動方向を指示する情報であればよく、図３に例示する矢印のような図形であってもよいし、たとえば「左へ」等の文字であってもよい。さらに、操作情報１５１は、上述したようなカメラ１１のパン、チルトを指示する情報に限らず、たとえば奥行き方向へのカメラ１１の移動（ズーム）を指示する情報であってもよい。
【００６９】
また、携帯端末１は、操作情報１５１を表示する機能に加えて、または操作情報１５１を表示する機能に代えて、カメラ１１の移動方向を指示する音声を、内蔵のスピーカ（図示せず）あるいは周辺機器６としてのスピーカから出力する機能を有していてもよい。さらにまた、映像監視システム１０は、監視装置２あるいは表示端末４のマイク（図示せず）に入力された音声を携帯端末１に伝送し、携帯端末１に内蔵のスピーカ（図示せず）あるいは周辺機器６としてのスピーカから出力する機能を有していてもよい。これにより、監視員（ユーザ）は、監視装置２あるいは表示端末４から携帯端末１を所持するユーザに対して、音声によりカメラ１１の移動方向を指示することができる。
【００７０】
一方、監視装置２は、少なくとも公衆網３に接続される上位通信部２１を有したコンピュータ（パーソナルコンピュータ等）であって、メモリに格納されているプログラムを実行することにより、監視装置２としての機能を実現する。監視装置２として用いられるコンピュータは、上記プログラムを予めメモリに格納していてもよいし、インターネットなどの電気通信回線を通じて、あるいは当該プログラムが記憶された記憶媒体からプログラムの提供を受けてもよい。
【００７１】
監視装置２は、図１に示すように、上位通信部２１の他、ネットワーク５を介して表示端末４と通信する下位通信部２２と、制御部２３と、蓄積部２４とを有している。監視装置２は、さらに各種の表示を行う表示機能およびユーザの操作入力を受け付ける入力機能といったユーザインタフェースを有していてもよい。本実施形態では、監視装置２は、下位通信部２２によって表示端末４との間で双方向に通信可能に構成されており、スマートフォンからなる表示端末４のユーザインタフェース（表示機能および入力機能）を利用できるので、ユーザインタフェースは必須でない。
【００７２】
監視装置２の上位通信部２１は、公衆網３に接続され、公衆網３を介した監視装置２−携帯端末（通信部１２）１間の通信を可能とする。上位通信部２１は、公衆網３のうちインターネット３３にルータ（図示せず）等を介して接続される。上位通信部２１は、監視装置２に内蔵されていることが望ましいが、これに限らず、外付けの通信デバイスでもよい。
【００７３】
下位通信部２２は、表示端末４との間でネットワーク５を介して双方向に通信する機能を有している。表示端末４にはＭＡＣアドレスやＩＰアドレスなどの固有の識別子が予め割り当てられており、監視装置２は、特定の表示端末４の識別子を予め記憶している。下位通信部２２は、その識別子を使用して、特定の表示端末４との間で通信を行う。そのため、監視装置２は、通信によって表示端末４との間で情報（データ）の授受が可能である。なお、監視装置（下位通信部２２）２−表示端末４間の通信としては、本実施形態ではＷｉ−Ｆｉ（登録商標）などの近距離無線通信を採用するが、これに限らず、有線接続、または携帯電話網やインターネットを介した通信によって実現されていてもよい。
【００７４】
制御部２３は、監視装置２の各部の動作を制御しており、たとえば携帯端末１から配信された映像を上位通信部２１で受信し、下位通信部２２から表示端末４へ配信したり、蓄積部２４へ蓄積（保存）したりする。さらに、本実施形態では、制御部２３は、下位通信部２２にて表示端末４から制御要求（制御コマンド）を受信すると、上位通信部２１から公衆網３経由で携帯端末１に上述した制御信号を送信する。また、制御部２３は、下位通信部２２にて表示端末４から操作要求（操作コマンド）を受信すると、上位通信部２１から公衆網３経由で携帯端末１に上述した操作信号を送信する。
【００７５】
蓄積部２４は、たとえばハードディスク（ＨＤ）であって、携帯端末１から配信された映像を随時蓄積（保存）する。監視装置２は、蓄積部２４に蓄積されている映像を表示端末４へ配信することにより、表示端末４で表示可能となるように構成されている。さらに、本実施形態では、監視装置２は、蓄積部２４に蓄積されている映像を携帯端末１へも配信可能に構成されている。そのため、携帯端末１は、監視装置２に配信した過去の映像を、監視装置２からの配信を受けて表示部１５に表示することができる。なお、監視装置２は、監視装置２あるいは表示端末４に対する監視員（ユーザ）の操作に応じ、蓄積部２４に蓄積された映像を削除可能である。
【００７６】
表示端末４は、Ｗｅｂブラウザの機能を搭載しており、監視装置２から配信される映像をリアルタイムで表示する。つまり、監視装置２がサーバ、表示端末４がクライアントとして機能する。
【００７７】
次に、本実施形態に係る映像監視システム１０の動作について、図４を参照して説明する。
【００７８】
携帯端末１は、予め監視タイミングとして決められたタイミングになると、撮影制御部１３２にてカメラ１１を起動し、監視エリアの撮影を開始する（Ｓ１）。それと同時に、携帯端末１は、配信部１３３にて監視装置２に対し撮影された映像の配信を開始する（Ｓ２）。このとき、携帯端末１は、配信部１３３により、映像の撮影位置を表す位置情報も当該映像と一緒に配信する。
【００７９】
ここで、携帯端末１は、監視タイミングにおける公衆網３との間の通信環境に応じて、配信方法並びに映像のビットレートを調整する。つまり、携帯端末１は、「圏外」にあれば、映像を記憶部１４に一旦記憶して「圏内」になるのを待ってから監視装置２へ配信し、さらに、判断部１３４で測定された通信速度（帯域幅）に応じて、映像のビットレートを決定する。
【００８０】
監視装置２は、携帯端末１からの映像を受信すると、受信した映像を下位通信部２２から表示端末４へ配信し（Ｓ３）、さらに、この映像の蓄積部２４へ蓄積する。このとき、監視装置２は、携帯端末１から映像と共に位置情報も受信するので、この位置情報についても映像と対応付けたまま表示端末４へ配信する。
【００８１】
表示端末４は、監視装置２から映像を受信すると、受信した映像の表示を開始する（Ｓ４）。表示端末４は、映像と共に位置情報を受信するので、この位置情報を基づいて映像の撮影位置を示す情報（たとえば地図、住所など）を表示することができる。表示端末４は、撮影位置を示す情報を映像と併せて表示してもよいし、所定の操作がされたときにだけ表示してもよい。
【００８２】
ここにおいて、表示端末４は、映像の表示を開始するに当たり、映像の配信が開始されたことの通知（報知）を行うように構成されていてもよい。たとえば音や光によって、表示端末４は、表示端末４を所持する監視員（ユーザ）に対して、映像の配信が開始されたことを通知する。この場合、携帯端末１は、映像の配信を開始する際、開始信号を監視装置２へ送信し、監視装置２は、この開始信号を表示端末４へ送信（転送）するように構成される。より望ましくは、監視装置２は、携帯端末１から開始信号を受信した時点で、監視員へ通知（報知）を行い、且つ蓄積部２４への映像の蓄積を開始する。
【００８３】
その後、監視員から表示端末４に対して第１の操作（操作１）が行われると、表示端末４は、監視装置２へ制御要求を送信する（Ｓ５）。ここでいう第１の操作（操作１）は、周辺機器６を制御するための操作であって、たとえば周辺機器６としての照明器具を点灯させる操作である。監視装置２は、制御要求を受けると、この制御要求に応じた制御信号を携帯端末１へ送信する（Ｓ６）。携帯端末１は、受信した制御信号に従って、機器制御部１３５により周辺機器６を制御する（Ｓ７）。
【００８４】
また、監視員から表示端末４に対して第２の操作（操作２）が行われると、表示端末４は、監視装置２へ操作要求を送信する（Ｓ８）。ここでいう第２の操作（操作２）は、カメラ１１の移動方向を指示するための操作であって、たとえばカメラ１１を左方向へパンさせるための操作である。具体的には、表示端末４は、監視装置２から配信される映像を表示しながら、上、下、左、右といった各方向のカーソルを含む操作盤を表示可能であり、監視員によりいずれかのカーソルが選択されると、このカーソルに応じた操作要求を送信する。
【００８５】
監視装置２は、操作要求を受けると、この操作要求に応じた操作信号を携帯端末１へ送信する（Ｓ９）。携帯端末１は、受信した操作信号に従って、表示制御部１３６により操作情報１５１を表示する（Ｓ１０）。
【００８６】
以上説明した本実施形態の映像監視システム１０によれば、携帯端末１のカメラ１１で映像を撮影するので、携帯端末１が公衆網（携帯電話網３１）３につながる状態にさえあれば、すぐにでも監視エリアの映像を配信可能となる。要するに、この映像監視システム１０は、たとえば災害時に被災地を新規の監視エリアとするような場合でも、監視カメラ装置の設置作業や接続作業に掛かる手間を省けるので、新規の監視エリアの監視を迅速に開始できる。
【００８７】
また、本実施形態の映像監視システム１０では、携帯端末１は、監視タイミングを指定する指定部１３１と、撮影制御部１３２と、配信部１３３とを有し、監視タイミングでカメラ１１を起動しカメラ１１に監視エリアを撮影させ、映像を監視装置２へ配信する。そのため、この映像監視システム１０は、携帯端末１を所持するユーザが携帯端末１を操作しなくても、指定部１３１によって指定される監視タイミングになれば、自動的に映像の撮影、配信が開始することになる。これにより、映像監視システム１０は、携帯端末１を所持するユーザが監視エリア（たとえば被災地）に常駐しなくても、所望のタイミングで撮影された映像を監視できる。
【００８８】
したがって、本実施形態の映像監視システム１０によれば、新規の監視エリアの監視を迅速に開始でき、ユーザが監視エリアに常駐しなくても所望のタイミングで撮影された映像を監視できる、という利点がある。
【００８９】
しかも、本実施形態に係る映像監視システム１０においては、指定部１３１は、予め決められたタイミングを監視タイミングとするように構成されている。これにより、携帯端末１は、予め決められたタイミングで自発的に映像の配信を開始するので、携帯電話網３１−インターネット３３間のゲートウェイ３２に阻まれずに映像を配信することができる。
【００９０】
すなわち、携帯端末１−監視装置２間の公衆網３は、上述したように携帯電話網３１−インターネット３３間にゲートウェイ３２を有している。このゲートウェイ３２は、通信事業者（キャリア）によって管理されており、携帯電話網３１からインターネット３３へのデータについては問題なく通過できても、インターネット３３から携帯電話網３１へのデータは通過できない可能性がある。たとえばインターネット３３上であれば、機器のＩＰアドレスが変動してもダイナミックＤＮＳ（Domain Name System）などの技術により、各機器は識別可能となる。しかし、携帯端末１の識別子（ＩＰアドレス）が変動する場合、通信事業者に固有のファイアウォール等のゲートウェイ３２を経由するため、インターネット３３上の監視装置２から携帯電話網３１の上の携帯端末１へのアクセスは困難である。
【００９１】
本実施形態の構成では、携帯端末１が自発的に監視装置２へ映像を配信するので、このようなゲートウェイ３２が介在していても、監視装置２の識別子（ＩＰアドレス）が既知であれば、携帯端末１は、この監視装置２へ映像を配信することができる。
【００９２】
また、本実施形態では、配信部１３３は、監視タイミングにおいて判断部１３４で公衆網３への接続が不可と判断されると、映像を記憶部１４に一旦記憶し、公衆網３への接続が可能になり次第、記憶部１４に記憶されている映像を監視装置２へ配信する。これにより、携帯端末１−公衆網３間の通信環境が不安定な場合でも、携帯端末１は、自動的に映像を配信することができ、映像の欠落を生じにくい利点がある。
【００９３】
さらに、携帯端末１は、本実施形態のように、映像の撮影位置を表す位置情報を生成する生成部１７を有し、配信部１３３が、映像を配信する際、当該映像の撮影位置を表す位置情報を当該映像と一緒に配信するように構成されていることが望ましい。これにより、監視装置２および表示端末４において、映像を確認する際、この映像の撮影位置を特定することができるので、監視員にとっては、閲覧中の映像が何処の映像であるかを容易に把握できる。
【００９４】
また、映像監視システム１０は、本実施形態のように、携帯端末１に付設される周辺機器６をさらに備え、携帯端末１は、監視装置２から公衆網３経由で制御信号を受信し当該制御信号に従って周辺機器６を制御する機器制御部１３５を有することが望ましい。これにより、監視員は、監視エリアに配置された周辺機器６を遠隔地から携帯端末１を通して制御することでき、たとえば夜間で配信される映像が暗い場合に周辺機器６としての照明器具を点灯させることなどが可能になる。
【００９５】
また、携帯端末１は、本実施形態のように、表示部１５と、監視装置２から公衆網３経由で操作信号を受信し当該操作信号に従ってカメラ１１の移動方向を指示する操作情報１５１を表示部１５に表示させる表示制御部１３６とを有することが望ましい。この構成によれば、監視員は、携帯端末１を所持するユーザに対して遠隔地からカメラ１１の移動方向を指示することが可能となり、監視員自身が意図した映像を撮影させることができる。
【００９６】
さらにまた、携帯端末１は、自らが監視装置２に配信している映像と、監視装置２の蓄積部２４に蓄積されている映像とを表示部１５に表示可能である。そのため、携帯端末１と別に表示用の装置を設けることなく、携帯端末１を所持するユーザは、携帯端末１の表示部１５を見ることで、監視装置２へ配信中の映像や、監視装置２へ配信済みの過去の映像を確認することができる。
【００９７】
ところで、本実施形態では、携帯端末１から監視装置２へ映像を配信する場合を例示したが、携帯端末１は、マイク（図示せず）で音声を録音し、この音声を映像と一緒に配信するように構成されていてもよい。
【００９８】
また、本実施形態では、映像監視システム１０は、携帯端末１と監視装置２と表示端末４とを１台ずつ備える場合を例示したが、携帯端末１、監視装置２、表示端末４のうちすくなくとも１つについて複数台備えていてもよい。たとえば、携帯端末１が複数台ある場合、各携帯端末１は、他の携帯端末１から監視装置２に配信された映像を、監視装置２からの配信を受けて表示できるように構成されていてもよい。これにより、携帯端末１は、自らが監視装置２に配信している映像と、監視装置２の蓄積部２４に蓄積されている映像と、他の携帯端末１から配信される映像とを表示部１５に表示可能となる。
【００９９】
（実施形態２）
本実施形態の映像監視システム１０は、指定部１３１が、監視装置２から公衆網３経由で受信した起動信号によって決定されるタイミングを監視タイミングとするように構成されている点で、実施形態１の映像監視システム１０と相違する。以下、実施形態１と同様の構成については、共通の符号を付して適宜説明を省略する。
【０１００】
本実施形態において、監視装置２は、たとえばＳＭＳ（Short Message Service）やＭＭＳ（Multimedia Messaging Service）あるいはその他のプッシュ型通信により、起動信号を携帯端末１として用いられる特定のスマートフォンへ送信する。監視装置２の制御部２３は、下位通信部２２にて表示端末４から配信要求（要求コマンド）を受信すると、上位通信部２１から公衆網３経由で携帯端末１に上述した起動信号を送信する。
【０１０１】
携帯端末１として用いられるスマートフォンは、起動信号を受信すると、上述したアプリケーションを自動的に起動することにより、携帯端末１としての機能を実現する。携帯端末１は、起動信号によりアプリケーションが起動すると、撮影制御部１３２によりカメラ１１を起動してカメラ１１に監視エリアを撮影させる。さらに、配信部１３３は、カメラ１１での撮影が開始すると、撮影された監視エリアの映像について通信部１２から公衆網３経由で監視装置２への配信を開始する。
【０１０２】
言い換えれば、携帯端末１は、起動信号によって決定されるタイミングを監視タイミングとし、この監視タイミングで、カメラ１１を起動してカメラ１１に監視エリアを撮影させ、撮影された監視エリアの映像を公衆網３経由で監視装置２へ配信する。つまり、携帯端末１は、監視タイミングが実施形態１では予め固定的に決められていたのに対し、本実施形態では監視装置２からの起動信号に従って変動的に決定されることになる。
【０１０３】
なお、ここでは、携帯端末１は、起動信号を受信した時点から、アプリケーションの起動時間等によって決まる所定時間が経過した時点を監視タイミングとしているが、これに限らず、監視タイミングは起動信号によって決定されるタイミングであればよい。たとえば、監視装置２は、監視タイミングとする時刻や、起動信号の受信時点から監視タイミングまでの時間等を表すタイミング情報を、起動信号に含めて送信してもよい。この場合、携帯端末１は、起動信号に含まれるタイミング情報に基づいて、監視タイミングを決定する。
【０１０４】
次に、本実施形態に係る映像監視システム１０の動作について、図５を参照して説明する。
【０１０５】
監視員から表示端末４に対して所定の操作が行われると、表示端末４は、監視装置２へ配信要求を送信する（Ｓ１１）。ここでいう所定の操作は、携帯端末１に映像の撮影、配信を開始させるための操作である。監視装置２は、配信要求を受けると、この配信要求に応答して起動信号を携帯端末１へ送信する（Ｓ１２）。
【０１０６】
携帯端末１は、起動信号を受信すると、アプリケーションを起動し（Ｓ１３）、続けて撮影制御部１３２にてカメラ１１を起動して監視エリアの撮影を開始する（Ｓ１４）。それと同時に、携帯端末１は、配信部１３３にて監視装置２に対し撮影された映像の配信を開始する（Ｓ１５）。このとき、携帯端末１は、配信部１３３により、映像の撮影位置を表す位置情報も当該映像と一緒に配信する。
【０１０７】
ここで、携帯端末１は、監視タイミングにおける公衆網３との間の通信環境に応じて、配信方法並びに映像のビットレートを調整する。つまり、携帯端末１は、「圏外」にあれば、映像を記憶部１４に一旦記憶して「圏内」になるのを待ってから監視装置２へ配信し、さらに、判断部１３４で測定された通信速度（帯域幅）に応じて、映像のビットレートを決定する。
【０１０８】
監視装置２は、携帯端末１からの映像を受信すると、受信した映像を下位通信部２２から表示端末４へ配信し（Ｓ１６）、さらに、この映像の蓄積部２４へ蓄積する。このとき、監視装置２は、携帯端末１から映像と共に位置情報も受信するので、この位置情報についても映像と対応付けたまま表示端末４へ配信する。
【０１０９】
表示端末４は、監視装置２から映像を受信すると、受信した映像の表示を開始する（Ｓ１７）。表示端末４は、映像と共に位置情報を受信するので、この位置情報を基づいて映像の撮影位置を示す情報（たとえば地図、住所など）を表示することができる。表示端末４は、撮影位置を示す情報を映像と併せて表示してもよいし、所定の操作がされたときにだけ表示してもよい。
【０１１０】
以上説明した本実施形態の映像監視システム１０によれば、指定部１３１は、監視装置２から公衆網３経由で受信した起動信号によって決定されるタイミングを監視タイミングとするように構成されている。これにより、携帯端末１は、監視装置２からの起動信号に従って変動的に決定されるタイミングで映像の配信を開始するので、監視エリアに設置された状態で周囲に人がいなくても、監視員（ユーザ）が所望するタイミングで映像の配信を開始できる。
【０１１１】
しかも、本実施形態の構成では、監視装置２から携帯端末１に起動信号が送信されると、その後は、携帯端末１が自動的にアプリケーションを起動し、映像を監視装置２へ配信する。したがって、携帯電話網３１−インターネット３３間に通信事業者のゲートウェイ３２が介在していても、監視装置２の識別子（ＩＰアドレス）が既知であれば、携帯端末１は、この監視装置２へ映像を配信することができる。
【０１１２】
また、指定部１３１は、本実施形態のように起動信号によって決定されるタイミングを監視タイミングとする構成と、実施形態１のように予め決められたタイミングを監視タイミングとする構成とを組み合わせて採用してもよい。この場合、携帯端末１は、予め監視タイミングになるか、あるいは監視装置２から起動信号が送信されることで、映像の撮影、配信を開始する。
【０１１３】
その他の構成および機能は実施形態１と同様である。
【０１１４】
ところで、上記各実施形態では、映像監視システム１０が監視装置２とは別に表示端末４を備える場合について説明したが、この構成に限る趣旨ではなく、たとえば表示端末４の機能が監視装置２に含まれていてもよい。
【０１１５】
また、上記各実施形態では、配信部１３３は、カメラ１１にて撮影された映像を監視タイミングで監視装置２へ配信する場合を例示したが、配信部１３３が映像を監視装置２へ配信するタイミングは監視タイミングに限らない。つまり、配信部１３３は、カメラ１１にて撮影された映像を監視装置２へ配信する機能を有していればよく、監視タイミングとは別のタイミングで映像を監視装置２へ配信する構成であってもよい。具体的には、指定部１３１が監視タイミングとは別に配信タイミングを指定し、この配信タイミングにて配信部１３３が映像を監視装置２へ配信してもよい。
【符号の説明】
【０１１６】
１  携帯端末
１０  映像監視システム
１１  カメラ
１２  通信部
１３１  指定部
１３２  撮影制御部
１３３  配信部
１３４  判断部
１３５  機器制御部
１３６  表示制御部
１４  記憶部
１５  表示部
１７  生成部
２  監視装置
３  公衆網
６  周辺機器
【図１】
2015046842.tif 000003
【図２】
2015046842.tif 000004
【図３】
2015046842.tif 000005
【図４】
2015046842.tif 000006
【図５】
2015046842.tif 000007